(57)【要約】【課題】  両側面が密着した状態で複数枚積層されている樹脂製袋体の開口部を開放させたうえ、最上層の袋体のみを取出して迅速かつ容易に袋詰め作業が行える積層樹脂製袋体の開口部開放装置を提供する。【解決手段】  積層した樹脂製袋体の所定位置を押圧する押圧手段と、積層した最上層の樹脂製袋体の表側シートの開口部近傍を貼着する貼着手段と、貼着手段を昇降作動することにより、最上層の樹脂製袋体の表側シートを持上げて袋の開口部を開放する昇降手段とによって積層樹脂製袋体の開口部開放装置を構成する。【選択図】図２
2006056554.tif 000002
【特許請求の範囲】
【請求項１】
積層した樹脂製袋体の所定位置を押圧する押圧手段と、
積層した最上層の樹脂製袋体の表側シートの開口部近傍を貼着する貼着手段と、
貼着手段を昇降作動することにより、最上層の樹脂製袋体の表側シートを持上げて袋の開口部を開放する昇降手段とよりなる積層樹脂製袋体の開口部開放装置。
【請求項２】
押圧手段は、所定位置として最上層の袋体の開口部近傍に配すると共に、押圧先端を先鋭状に形成したことを特徴とする請求項１に記載の積層樹脂製袋体の開口部開放装置。
【請求項３】
押圧手段は、所定位置として最上層の袋体の底部近傍に配することを特徴とする請求項２に記載の積層樹脂製袋体の開口部開放装置。
【請求項４】
貼着手段は、粘着部材により構成したことを特徴とする請求項１に記載の積層樹脂製袋体の開口部開放装置。
【請求項５】
貼着手段は、負圧にて吸着するように構成したことを特徴とする請求項１に記載の積層樹脂製袋体の開口部開放装置。
【発明の詳細な説明】
【技術分野】
【０００１】
本発明は、積層樹脂製袋体の開口部開放装置に関するものである。
【背景技術】
【０００２】
コンビニエンスストアやスーパーマーケットなどの小売店で、店員は、お客が購入した商品をレジにて樹脂製袋体（以下、「レジ袋」という。）に入れてからお客に手渡すようにしている。
【０００３】
このレジ袋は、通常、数百枚重ねられたものを１束とした単位でレジ袋の製造メーカーから小売店に納品されるものである。
【０００４】
そして、小売店の店員は、お客がレジに商品を持って来る度に、このレジ袋の束からレジ袋を１枚ずつ取出して使用していた。
【０００５】
ところが、このレジ袋は、ポリエチレンやビニールなどの薄い樹脂製であったため静電気を帯びやすく、この静電気によってレジ袋どうしが張り付いてしまうことがあった。
【０００６】
このように、レジ袋どうしが張り付いてしまうと、レジ袋の束からレジ袋を１枚ずつ取出すことに手間取ってしまい、レジでの作業を迅速に行うことができない場合があった。
【０００７】
そのため、近年では、多数枚重ねられたレジ袋の束からレジ袋を簡単に１枚ずつ取出すことができるように構成した樹脂製袋体取出し装置が考案されている（たとえば、特許文献１参照。）。
【０００８】
この樹脂製袋体取出し装置は、レジ袋を跨がせて2つ折になるように載せる袋載せ台と、この袋載せ台に載せたレジ袋の最上層のレジ袋を下層のレジ袋から分離する分離機構とから構成していた。
【０００９】
この分離機構は、袋載せ台の上方に基端側を支点として上下方向に回動自在としたアームにより形成しており、このアームの終端側に最上層のレジ袋の表面のみを貼着させるための貼着手段を設けていた。
【００１０】
また、このアームの中央よりやや基端側にバネを介して下方側に突出した押圧部を設けていた。
【００１１】
そして、レジ袋を取り出す際は、このアームを下方側に回動させることによって押圧部でレジ袋を押さえた後、さらにアームを下方側に回動させることによって押圧部とアームとの間に設けたバネを収縮させ、アームの終端に設けている貼着部に最上層のレジ袋の表面を貼着させる。
【００１２】
その後、押圧部とアームとの間に設けたバネの反発力によってアームを上方に回動させることによって最上層のレジ袋と下層のレジ袋とを部分的に剥離させ、レジ袋の部分的に剥離させた部分を指先でつまんで、最上層のレジ袋だけを取り出すようにしていた。
【特許文献１】特開平10-81377号公報
【発明の開示】
【発明が解決しようとする課題】
【００１３】
しかしながら、上記従来の樹脂製袋体取出し装置は、多数枚重ねられたレジ袋の束から最上層のレジ袋だけを取出すことはできるものの、取出したレジ袋は、静電気の働きによってその両側面の表側シートと裏側シートどうしが密着したままであり、店員は、この両側面の密着したシートどうしを手作業によって分離し、袋の開口部を開放してから商品を入れなければならならず、レジでの袋詰め作業に支障をきたしていた。
【課題を解決するための手段】
【００１４】
請求項１に係る発明は、積層した樹脂製袋体の所定位置を押圧する押圧手段と、積層した最上層の樹脂製袋体の表側シートの開口部近傍を貼着する貼着手段と、貼着手段を昇降作動することにより、最上層の樹脂製袋体の表側シートを持上げて袋の開口部を開放する昇降手段とよりなる積層樹脂製袋体の開口部開放装置を提供せんとするものである。
【００１５】
また、請求項２に係る発明は、押圧手段は、最上層の袋体の開口部近傍に配すると共に、押圧先端を先鋭状に形成したことを特徴とする請求項１に記載の積層樹脂製袋体の開口部開放装置とした。
【００１６】
また、請求項３に係る発明は、押圧手段は、最上層の袋体の底部近傍に配することを特徴とする請求項２に記載の積層樹脂製袋体の開口部開放装置とした。
【００１７】
また、請求項４に係る発明は、貼着手段は、粘着部材により構成したことを特徴とする請求項１に記載の積層樹脂製袋体の開口部開放装置とした。
【００１８】
また、請求項５に係る発明は、貼着手段は、負圧にて吸着するように構成したことを特徴とする請求項１に記載の積層樹脂製袋体の開口部開放装置とした。
【発明の効果】
【００１９】
本発明では、以下に記載する効果を奏する。
【００２０】
請求項１に係る発明によれば、積層樹脂製袋体の開口部開放装置は、積層した樹脂製袋体の所定位置を押圧する押圧手段と、積層した最上層の樹脂製袋体の表側シートの開口部近傍を貼着する貼着手段を有しているために、この貼着手段によって袋体の表側シートの開口部近傍を貼着した後に、昇降手段によって貼着手段を上昇作動せしめれば最上層の樹脂製袋体の表側シートで、かつ開口部近傍のみが持上げられていくため、袋体の表側シートと裏側シートとの密着状態が剥離状態となり、袋体の開口部が開放された状態となる。
【００２１】
従って、この開口部開放状態のまま、レジの店員等は積層した樹脂製袋体から最上層の袋体のみを取出し、開口部より物品を収納することができるため、密着した両側面の袋体が積層されているにもかかわらず、開口部開放状態で最上層の袋体を取出して迅速かつ容易に袋詰め作業が行える効果を有する。
【００２２】
また、請求項２に係る発明によれば、押圧手段が押圧先端を先鋭状として最上層の袋体の開口部近傍に配されているため、袋体の表側シートを持上げながら端縁を後方にずらしていく際に、先端先鋭状の押圧先端が裏側シートを確実に押圧して共上がりを防止し、袋体の開口部を開放できる効果がある。
【００２３】
また、請求項３に係る発明によれば、押圧手段が袋体の底部近傍に配されているため、請求項２の押圧手段と相俟って更に確実に袋体の開口部開放が行える効果を奏する。
【００２４】
また、請求項４に係る発明によれば、貼着手段を粘着部材としたことにより、確実に貼着でき、かつ安価に貼着手段を構成することができる効果がある。
【００２５】
また、請求項５に係る発明によれば、貼着手段を負圧にて吸着するようにしたので、吸着機構が消耗することなく永続的に使用でき、かつ確実な貼着を果たしうる効果がある。
【発明を実施するための最良の形態】
【００２６】
以下、本発明の具体的な実施例について、図面を参照して説明する。
【００２７】
（実施例１）
図１は、本発明の積層樹脂製袋体の開口部開放装置Ａの平面図を示し、図２は、同側面図を示している。
【００２８】
開口部開放装置Ａは、薄厚の樹脂製袋体ａを積層して載置しておくための基台１を有し、同基台１は上方開口の箱型に形成し、箱内に積層した袋体aを収納している。
【００２９】
基台１の外周面には上方より嵌着自在に構成した装置枠体２を嵌着している。
【００３０】
従って、装置枠体２は、積層した袋体ａの上方よりこの袋体ａに被せるようにして設置される。装置枠体２は基台１の箱型に合致して、嵌着するように四辺に側板を立設した上下方開放の箱型枠体としている。同装置枠体２の基部（図中右側）すなわち積層した袋体ａの底辺部近傍に位置する個所には、自重で袋体ａの表面を押圧すべく構成した押圧手段として機能する押圧ローラ３を配設している。具体的には同装置枠体２の基部において左右の両側板間にローラ軸４を昇降自在に軸架し、同ローラ軸４の中央に重錘の機能を有する押圧ローラ３を回転自在に軸支している。なお、図２中の符号６は、同ローラ軸４の両端部を昇降自在に装置枠体２の側板に装置するための縦長孔である。
【００３１】
押圧ローラ３の前方には、支持軸５が装置枠体２の両側板間に回動自在に軸架されており、支持軸５の略中央には前方に向けて杆状の支持アーム７を突設し、同支持アーム７の先端には貼着手段としての粘着部材８を取外し自在に連設している。
【００３２】
ここで、粘着部材８としては、いわゆる粘着テープの粘着面が外周面に露出した巻回テープを使用し、支持アーム７の先端に軸架しており、同支持アーム７に突設した切断刃体９により使用済の粘着テープを切断廃棄するようにしている。
【００３３】
図２中の符号３９は、粘着部材８としての巻回テープの外周方をガードする枠フレームであり、支持アーム７と一体に曲折形成している。
【００３４】
このように、先端に粘着部材８を有する支持アーム７は、支持軸５と共に昇降回動して、粘着部材８を昇降できるように構成している。
【００３５】
すなわち、粘着部材８を回動降下した場合には、下方に積層した袋体ａのうちで最上層の袋体ａ’の表側シートａ'-1を貼着し、上昇する場合は、貼着した表側シートａ'-1のみを持上げるものである。このように表側シートａ'-1のみを貼着して持上げることにより、最上層の袋体ａ'の表側シートａ'-1と裏側シートａ'-2との内面密着を剥離し、最上層の袋体ａ'の開口部ｂを開放状態とするものである。
【００３６】
ここで、粘着部材８を先端に有する支持アーム７の回動操作機構１０について説明する。
【００３７】
すなわち、回動操作機構１０は、支持軸５の装置枠体２外の軸端に装置され、かつ支持軸５の軸端に後方に向けて連設したレバー１１と、同レバー１１の後端に連設したインナーワイヤ１２と、インナーワイヤ１２の終端に設けたワイヤ操作部１３とにより構成されており、従って、ワイヤ操作部１３の操作によりインナーワイヤ１２を引張り緊張すると、レバー１１は下方に回動変位して支持軸５と共に支持アーム７を上昇回動させることができる。
【００３８】
他方、インナーワイヤ１２を弛緩させれば、支持アーム７の自重によって同支持アーム７は下方に回動降下し、先端の粘着部材８を最上層の袋体ａ'の表側シートａ'-1上に載置することになる。
【００３９】
図中、１４はアウターワイヤ、１５はアウターワイヤ固定部、１６はワイヤ操作部１３を構成するペダルである。ペダル１６の下方には一端を操作ケース１７に軸支した山型リンク機構１８を装置しており、山型リンク機構１８の作動端にはインナーワイヤ１２の終端を連設し、ペダル１６を踏圧すれば山型リンク機構１８の山型の頂部が押圧され、山型リンク機構１８が平坦状態に伸長して作動端がインナーワイヤ１２を引張る方向に移動し、レバー１１を介して支持軸５と共に支持アーム７を上昇回動させる。他方、ペダル１６の踏圧を解除すれば、支持アーム７の自重によりレバー１１を介してインナーワイヤ１２は弛緩方向に変位して山型リンク機構１８をもとの状態に復元させる。
【００４０】
また、支持アーム７先端の粘着部材８先方には、自重で降下する押圧手段が配されている。この押圧手段は弾力性を有する先端先鋭状の押圧線体１９により構成されており、次のように昇降押圧機能を果たす。
【００４１】
すなわち、装置枠体２の側板には縦長孔２０を穿設し、同縦長孔２０には、支持軸２１の端部を嵌入して、支持軸２１は縦長孔２０に沿って昇降自在に配設されており、支持軸２１の略中央には、積層した袋体ａの開口部近傍中央部を押圧するように弾力性のある針体等のような先端先鋭状の押圧線体１９が垂設されている。
【００４２】
押圧線体１９は、重錘機能を有する保持体２２の下面に後方下り傾斜状に突設されており、形状は針状で弾力性のある細線体により形成しており、このように先端先鋭状の針状体によって積層した袋体ａの表側シートａ'-1を押圧しておくと、表側シートａ'-1が粘着部材８により持上げられる際に、押圧体線体１９の弾力性によって表側シートａ'-1にかかる保持体２２の荷重が緩和され、表側シートａ'-1が後方にずれて裏側シートａ'-2が表に露見し、針状体の押圧弾力を介して、裏側シートａ'-2を押圧することになり、最上層の袋体a’の表側シートａ'-1は有効に裏側シートａ'-2から剥離されて最上層の袋体ａ’の開口部は開放される。このように持上げられる表側シートａ'-1の下方においては裏側シートａ'-2を残留させておく必要があり、この残留状態を確保して表側シートａ'-1の開放状態を形成するために、裏側シートａ'-2が共に持ち上がらないように針状体により裏側シートａ'-2を即座に押圧した状態とするものである。
【００４３】
このように、押圧手段としての針状体の押圧線体１９は、所定の弾力性を有しているため、最上層の袋体ａ'の表側シートａ'-1のみを持上げ、表側シートａ'-1の持上がり時に同表側シートａ'-1の開口端縁部分が後方にずれていくのを不当に干渉せず、針状体位置よりも後方までずれてきた際には、まだずれていない残留状態の裏側シートａ'-2を針状体によって即座に押圧して裏側シートａ'-2が表側シートａ'-1と共に持ち上がらないようにするという重要な機能を果たすものである。
【００４４】
このように粘着部材８により表側シートａ'-1のみを持上げて最上層の袋体ａ'の開口部bを開放状態とするものであるが、本実施例における樹脂製袋体ａの形状は通常コンビニエンスストア等で使用されている形状の樹脂製袋体であり、図１に示すように、開口部bの中央が凹状に切削されて、その中央部分に短い結び代用突片ｃを形成している。
【００４５】
押圧線体１９は、この結び代用突片ｃを押圧する位置に配設されており、押圧線体１９の押圧力に抗して容易に表側シートａ'-1を持上げ、かつ持上げに同調して表側シートａ'-1がずれていくと表面に露見した裏側シートａ'-2を押圧線体１９が押圧固定することになり、この時点で確実に最上層の袋体a’の開口部bは開放されたこととなる。
【００４６】
また、粘着部材８の降下時の配設位置は、袋体ａの上記形状において、結び代用突片ｃの基端部近傍、すなわち、凹状に切削した開口部bの中央基部近傍とすることにより、表側シートａ'-1を持上げた際、最上層の袋体ａ'の開口部bの開放をより効率的にすることができる。
【００４７】
なお、本実施例では、上記形状の袋体ａを使用したが、本発明に係る開口部開放装置Ａは、これに限られるものではなく、様々な形状の袋体に用いることができる。
【００４８】
（実施例２）
図３は、実施例２の説明図であり、図３に示す開口部開放装置Ａは、実施例１で使用される樹脂製袋体ａの結び代用突片ｃの先端に、ミシン目43を介して開口41を有する突片先端部44が設けられた樹脂製袋体ａに好適に適用可能な構造としている。なお、以下の説明において、実施例１と同一の構成要素については、同一の符号を付しその説明を省略する。
【００４９】
図３に示すように、開口部開放装置Ａは、基台１の底板1aの前端部（図中左側）近傍に、縦長棒状のピンなどによって構成する挿入ピン42を着脱自在に取り付けており、この挿入ピン42は、袋体ａを開口部開放装置Ａに設置する際に、袋体ａの開口41が位置する個所に取り付けている。
【００５０】
このように、挿入ピン42を、袋体ａの開口41が位置する個所に取り付けているため、実施例２における袋体ａを開口部開放装置Ａに設置する際には、袋対ａの突片先端部44に設けられた開口41をこの挿入ピン42に挿入することによって、積層した袋体ａの位置決め固定を容易に行うことができる。
【００５１】
さらには、貼着手段としての粘着部材８によって、最上層の袋体ａ'の表側シートａ'-1を持上げ、この持上げに同調して表側シートａ'-1がずれる際に、突片先端部44は開口41に挿入された挿入ピン42によって固定されているため、この突片端部44がミシン目43から切り離されることとなる。
【００５２】
したがって、積層した袋体ａの位置決め固定を容易に行うことができるとともに、貼着手段としての粘着部材８によって最上層の袋体ａ'の開口部bを開放する際、最上層の袋体ａ'の表側シートａ'-1のみをずらし、その他下層の袋体ａがずれることを防止することができる。
【００５３】
また、この実施例２では、開口部開放装置Ａに実施例１で使用される樹脂製袋体ａの結び代用突片ｃの先端に、ミシン目43を介して開口41を有する突片先端部44が設けられた樹脂製袋体ａを設置して説明したが、本発明は、これに限定されるものではなく、樹脂製袋体ａの結び代用突片ｃの先端に、ミシン目43を介して開口41が設けられている袋体ａであれば、任意の形状の袋体ａを設置して好適に使用することができる。
【００５４】
（実施例３）
図４〜図６は、実施例３における開口部開放装置Ａの説明図であり、実施例３では前述の実施例と対比して貼着手段としての粘着部材８の構成が異なる。すなわち、この実施例では、粘着部材８の代わりに負圧による吸着手段を用いて最上層の袋体ａ'の表側シートａ'-1を貼着して垂直に持上げるように構成したものであり、以下詳説する。
【００５５】
基台１には、袋体ａの結び代用突片ｃの側方に位置する個所で袋体ａと干渉しない位置に窓３０を形成し、窓３０にベース３１を載置し、ベース３１には垂直軸３２を立設し、垂直軸３２には軸に沿って昇降自在の筒体３３を装着し、同筒体３３はその下方に介設したスプリング３４を介して上昇付勢されており、筒体３３にはブラケットを介して貼着手段として吸着体３５を突設しており、吸着体３５は最上層の袋体ａ'の結び代用突片ｃの基部近傍に位置するように配設されており、しかも垂直軸３２には昇降自在に遊嵌したボス４０を介して押圧線体１９を垂設した保持体２２を支持している。
【００５６】
従って、ベース３１と垂直軸３２と筒体３３とスプリング３４と吸着体３５と押圧線体１９とは垂直軸３２を主体として一体に構成されたユニットとなっている。
【００５７】
吸着体３５は、上部に形成したゴム等の可撓性の半球状指圧体３６と、その下部に形成した気密室３７と気密室３７の下底部に穿設した吸着孔３８とよりなる。従って、最上層の袋体ａ'の表側シートａ'-1を持上げるには吸着体３５の指圧体３６を指で押圧することにより、スプリング３４に抗して吸着体３５を垂直軸３２に沿って降下させ、気密室３７の下底部の吸着孔３８を最上層の袋体ａ'の表側シートａ'-1面に圧着させる。かかる状態では指圧体３６がへこんだ状態となっており気密室３７内の空気は吸着孔３８から脱気されており、その状態で指を指圧体３６から離反させるとへこんだ状態の指圧体３６が復元して気密室３７内が負圧となり、吸着孔３８は最上層の袋体ａ'の表側シートａ'-1を吸着することによって貼着する。同時にスプリング３４の復元力で吸着体３５は上昇し、吸着した表側シートａ'-1を持上げ作動し、同時に、最上層の袋体ａ'の表側シートａ'-1の結び代用突片ｃが後方へずれて変位することになり、この表側シートａ'-1の結び代用突片ｃを押圧していた押圧線体１９の位置より後方にずれてしまうと押圧線体１９は残留し露見した裏側シートａ'-2を押圧して表側シートａ'-1と同時に持上がらないようにし、最上層の袋体ａ'の開口部bの開放を行うことになる。
【００５８】
このように構成することによっても、最上層の袋体ａ'を貼着し、持ち上げて袋の開口部を開放することができる。
【００５９】
また、この実施例３における開口部開放装置Ａは、実施例２と同一の挿入ピン４２を基台１の底板1aの前端部近傍に取り付けることによって、実施例２における開口部開放装置Ａと同様の効果を奏するように構成することができる。
【図面の簡単な説明】
【００６０】
【図１】本発明に係る積層樹脂製袋体の開口部開放装置を示す平面図である。
【図２】同積層樹脂製袋体の開口部開放装置を示す側面図である。
【図３】実施例２の積層樹脂製袋体の開口部開放装置を示す平面図である。
【図４】実施例３の積層樹脂製袋体の開口部開放装置の平面図である。
【図５】実施例３の積層樹脂製袋体の開口部開放装置の側面図である。
【図６】実施例３の積層樹脂製袋体の開口部開放装置の正面図である。
【符号の説明】
【００６１】
Ａ  積層樹脂製袋体の開口部開放装置
ａ  （積層した樹脂製）袋体
ａ'  最上層の袋体
ａ'-1  表側シート
ａ'-2  裏側シート
ｂ  開口部
ｃ  結び代用突片
1  基台
2  装置枠体
3  押圧ローラ
4  ローラ軸
5  支持軸
6  縦長孔
7  支持アーム
8  粘着部材
9  切断刃体
10  回動操作機構
11  レバー
12  インナーワイヤ
13  ワイヤ操作部
14  アウターワイヤ
15  アウターワイヤ固定部
16  ペダル
17  操作ケース
18  山型リンク機構
19  押圧線体
20  縦長孔
21  支持軸
22  保持体
30  窓
31  ベース
32  垂直軸
33  筒体
34  スプリング
35  吸着体
36  指圧体
37  気密室
38  吸着孔
39  枠フレーム
40  ボス
41  開口
42  挿入ピン
43  ミシン目
44  突片端部
【図１】
2006056554.tif 000003
【図２】
2006056554.tif 000004
【図３】
2006056554.tif 000005
【図４】
2006056554.tif 000006
【図５】
2006056554.tif 000007
【図６】
2006056554.tif 000008